(57)【要約】【課題】異なるチャンネルを交互に視聴する場合において視聴所要時間を短縮可能なデジタル放送受信装置およびデジタル放送受信方法を提供する。【解決手段】デジタル放送受信装置１００は、第１のチューナを用いて視聴していた第１のチャンネルから第２のチューナを用いて視聴する第２のチャンネルに切り換えた後に、第２のチャンネルから第１のチャンネルに切り換えるチャンネル操作が行われたときに、第１のチャンネルを選局していた第１のチューナを用いて第１のチャンネルの番組を視聴するように制御する。【選択図】図１
2008035369.tif 000002
【特許請求の範囲】
【請求項１】
デジタル放送の放送波を選択して同じ周波数帯域を受信する複数のチューナを備えたデジタル放送受信装置であって、
前記複数のチューナのうちの第１のチューナを用いて視聴していた第１のチャンネルから前記複数のチューナのうちの第２のチューナを用いて視聴する第２のチャンネルに切り換えた後に、該第２のチャンネルから前記第１のチャンネルに切り換えるチャンネル操作が行われたときに、前記第１のチャンネルを選局していた前記第１のチューナを用いて前記第１のチャンネルの番組を視聴するように制御する制御手段を有することを特徴とするデジタル放送受信装置。
【請求項２】
選局指示によって指定される選局チャンネルと、いずれかの前記チューナの選局している選局中チャンネルとが一致したときは、該選局中チャンネルを選局している選局中チューナを用いて前記選局中チャンネルの番組を視聴し、前記選局チャンネルと前記選局中チャンネルとが一致しなかったときは、前記選局指示があったときに視聴に用いられていた前視聴中チューナとは別の視聴外チューナを用いて前記選局チャンネルを選局する選局制御を行う選局制御手段を更に有することを特徴とする請求項１記載のデジタル放送受信装置。
【請求項３】
前記各チューナについて、前記選局チャンネルと前記選局中チャンネルとが一致するか否かを判定する判定手段を更に有し、
前記選局制御手段は、前記判定手段の判定結果に基づき前記選局制御を行うことを特徴とする請求項２記載のデジタル放送受信装置。
【請求項４】
選局指示によって指定される選局チャンネルと、いずれかの前記チューナの選局している選局中チャンネルとが一致したときは、該選局中チャンネルを選局している選局中チューナを用いて前記選局中チャンネルの番組を視聴し、前記選局チャンネルと前記選局中チャンネルとが一致しなかったときは、前記複数のチューナのいずれかを選択するための選択基準に基づき選択された前記チューナを用いて前記選局チャンネルを選局する選局制御を行う選局制御手段を更に有することを特徴とする請求項１記載のデジタル放送受信装置。
【請求項５】
前記選択基準は、各チャンネルのうちの選局される頻度の少ない低頻度チャンネルを選局していた低頻度チューナが選択されるように設定されていることを特徴とする請求項４記載のデジタル放送受信装置。
【請求項６】
前記選択基準は、前記各チャンネルのうちの選局回数の少ないまたは選局期間の短いチャンネルを前記低頻度チャンネルとするように設定されていることを特徴とする請求項５記載のデジタル放送受信装置。
【請求項７】
前記選択基準は、事前登録された番組種別に属する番組を放送中のチャンネルを選局していた前記チューナとは別の前記チューナが選択されるように設定されていることを特徴とする請求項４記載のデジタル放送受信装置。
【請求項８】
視聴中の番組内容を示す映像を表示するディスプレイパネルを更に有することを特徴とする請求項１記載のデジタル放送受信装置。
【請求項９】
デジタル放送の放送波を選択して受信する複数のチューナと、該各チューナに応じて設けられた複数のＴＳプロセッサとを備えたデジタル放送受信装置であって、
選局指示によって指定される選局チャンネルと、いずれかの前記チューナが選局しかついずれかの前記ＴＳプロセッサがＴＳパケットを処理している選局中チャンネルとが一致したときは、該選局中チャンネルを選局している選局中チューナおよび前記ＴＳパケットを処理している処理中ＴＳプロセッサを用いて前記選局中チャンネルの番組を視聴し、
前記選局チャンネルと前記選局中チャンネルとが一致しなかったときは、前記選局指示があったときに視聴に用いられていた前視聴中チューナとは別の視聴外チューナを用いて前記選局チャンネルを選局し、かつ前記前視聴中チューナに応じてＴＳパケットを処理していた前視聴中ＴＳプロセッサとは別の視聴外ＴＳプロセッサを用いてＴＳパケットを処理する選局制御を行う選局制御手段を有することを特徴とするデジタル放送受信装置。
【請求項１０】
デジタル放送の放送波を選択して受信する複数のチューナを用いたデジタル放送受信方法であって、
視聴していた第１のチャンネルを視聴しようとする第２のチャンネルに切り換えた後に該第２のチャンネルを前記第１のチャンネルに戻すチャンネル操作が行われたときに、前記複数のチューナのうちの前記第１のチャンネルを選局していた元チューナを用いて前記第１のチャンネルの番組を視聴するように制御することを特徴とするデジタル放送受信方法。
【発明の詳細な説明】
【技術分野】
【０００１】
本発明は、地上デジタル放送、衛星デジタル放送等の放送波を受信するチューナを複数備えたデジタル放送受信装置およびデジタル放送受信方法に関する。
【背景技術】
【０００２】
近年、地上デジタル放送や、ＢＳ（Broadcasting Satellite）放送、１１０度ＣＳ（Communication Satellite）放送といった衛星デジタル放送の放送波を受信して、デジタル化された映像信号および音声信号を再生するデジタル放送受信装置が普及している。
【０００３】
従来から様々なデジタル放送受信装置が知られているが、例えば特許文献１には、チャンネルを切り替えたときに、チャンネル切替え後の番組が視聴可能になるまでに要する時間（以下「視聴所要時間」という）を短縮するデジタル放送受信装置が開示されている。
【０００４】
このデジタル放送受信装置では、メインチューナで視聴チャンネルが選局され、次に選局されるチャンネルが予測されて予めサブチューナで選局される。そして、チャンネル操作で指定されたチャンネルが予め選局されているチャンネルと一致するときはサブチューナがメインチューナに変更され、サブチューナで予め選局されているチャンネルの放送が視聴されるようになっている。
【特許文献１】特許第３００７０６８号公報
【発明の開示】
【発明が解決しようとする課題】
【０００５】
上記従来のデジタル放送受信装置では、直前に入力されたチャンネル選択キー（チャンネルアップキーまたはチャンネルダウンキー）に応じて次に選局されるチャンネルが予測されており、指定されたチャンネルが予め選局されているチャンネルと一致すればサブチューナがメインチューナに変更される。
【０００６】
しかし、上記従来のデジタル放送受信装置では、指定されたチャンネルが予め選局されているチャンネルと一致しないときはメインチューナで選局をやり直すようになっている。そのため、チャンネルアップキーまたはチャンネルダウンキーの連続入力によってチャンネルが切り替わる場合は視聴所要時間を短縮する効果があるものの、そうでない場合、例えばチャンネルアップキーとチャンネルダウンキーを交互に入力する等して異なるチャンネルを交互に視聴する場合では、視聴所要時間を短縮する効果が得られなかった。
【０００７】
そこで、本発明は上記課題を解決するためになされたもので、異なるチャンネルを交互に視聴する場合において視聴所要時間を短縮可能なデジタル放送受信装置およびデジタル放送受信方法を提供することを目的とする。
【課題を解決するための手段】
【０００８】
上記課題を解決するため、本発明は、デジタル放送の放送波を選択して同じ周波数帯域を受信する複数のチューナを備えたデジタル放送受信装置であって、複数のチューナのうちの第１のチューナを用いて視聴していた第１のチャンネルから複数のチューナのうちの第２のチューナを用いて視聴する第２のチャンネルに切り換えた後に、その第２のチャンネルから第１のチャンネルに切り換えるチャンネル操作が行われたときに、第１のチャンネルを選局していた第１のチューナを用いて第１のチャンネルの番組を視聴するように制御する制御手段を有するデジタル放送受信装置を特徴とする。
【０００９】
また、本発明はデジタル放送の放送波を選択して受信する複数のチューナと、その各チューナに応じて設けられた複数のＴＳプロセッサとを備えたデジタル放送受信装置であって、選局指示によって指定される選局チャンネルと、いずれかのチューナが選局しかついずれかのＴＳプロセッサがＴＳパケットを処理している選局中チャンネルとが一致したときは、その選局中チャンネルを選局している選局中チューナおよびＴＳパケットを処理している処理中ＴＳプロセッサを用いて選局中チャンネルの番組を視聴し、選局チャンネルと選局中チャンネルとが一致しなかったときは、選局指示があったときに視聴に用いられていた前視聴中チューナとは別の視聴外チューナを用いて選局チャンネルを選局し、かつ前視聴中チューナに応じてＴＳパケットを処理していた前視聴中ＴＳプロセッサとは別の視聴外ＴＳプロセッサを用いてＴＳパケットを処理する選局制御を行う選局制御手段を有するデジタル放送受信装置を提供する。
【００１０】
さらに、本発明は、デジタル放送の放送波を選択して受信する複数のチューナを用いたデジタル放送受信方法であって、視聴していた第１のチャンネルを視聴しようとする第２のチャンネルに切り換えた後にその第２のチャンネルを第１のチャンネルに戻すチャンネル操作が行われたときに、複数のチューナのうちの第１のチャンネルを選局していた元チューナを用いて第１のチャンネルの番組を視聴するように制御するデジタル放送受信方法を提供する。
【発明の効果】
【００１１】
以上詳述したように、本発明によれば、異なるチャンネルを交互に視聴する場合において視聴所要時間を短縮可能なデジタル放送受信装置およびデジタル放送受信方法が得られる。
【発明を実施するための最良の形態】
【００１２】
以下、本発明の実施の形態について説明する。なお、同一要素には同一符号を用い、重複する説明は省略する。
【００１３】
（第１の実施の形態）
図１は、本発明の実施の形態に係るデジタル放送受信装置１００の構成を示すブロック図である。図１に示すように、デジタル放送受信装置１００は同じ機能を備えた２つのデジタルチューナ１０１，１２１を有し、そのほか、復調回路１０２，１２２と、ＴＳプロセッサ１０３，１２３と、ＭＰＥＧデコーダ１０４，１２４とを有している。
【００１４】
また、デジタル放送受信装置１は、コントローラ１３１と、ＯＳＤ回路１３２と、Ｄ／Ａコンバータ１３３，１３５と、モニタ１３４、スピーカ１３６を有している。
【００１５】
デジタルチューナ１０１，１２１は、いずれも地上デジタル放送用のアンテナ１５０が受け取った放送波が供給される。そして、デジタルチューナ１０１，１２１は、それぞれアンテナ１５０から供給される放送波から、指定されたチャンネルに対応する所定周波数の信号成分を選択して受信する受信処理を行い、復調回路１０２，１２２に出力する。
【００１６】
復調回路１０２，１２２は、それぞれデジタルチューナ１０１，１２１によって抽出された信号成分について、所定の復調処理を施し、さらに誤り訂正等の処理を施して、それぞれトランスポートストリーム（Transport Stream）ＴＳ１、ＴＳ２を生成する。生成されるトランスポートストリームＴＳ１、ＴＳ２は、それぞれＴＳプロセッサ１０３，１２３に入力される。
【００１７】
ＴＳプロセッサ１０３，１２３は、入力されるトランスポートストリームＴＳ１、ＴＳ２のＴＳパケットに付加されているパケットＩＤ（ＰＩＤ）を識別し、選局情報であるセクションや、映像、音声等のＥＳ（Elementary Stream）を抽出する。
【００１８】
また、ＴＳプロセッサ１０３，１２３は、後述するＰＡＴ（Program Association Table)、ＰＭＴ（Program Map Table)を取得することによって、受信すべき映像および音声等のパケットＩＤを認識し、認識したパケットＩＤと一致するパケットＩＤのＴＳパケットをＭＰＥＧデコーダ１０４，１２４に出力する。
【００１９】
さらに、ＴＳプロセッサ１０３，１２３は、入力されるＴＳパケットからＳＩ（Service Information）情報を分離し、マイクロプロセッサ１３１に供給する。
【００２０】
ここで、ＰＡＴは、放送番組に関連するＰＭＴを伝送するＴＳパケットのパケットＩＤの情報を有している。
【００２１】
また、ＰＭＴは、放送番組を構成する各符号化信号(映像信号、音声信号など)を伝送するＴＳパケットのパケットＩＤおよび有料放送の関連情報のうち、共通情報（例えばＥＣＭ：Entitlement Control Message；番組に関する情報とデスクランブルのための鍵など）を伝送するＴＳパケットのパケットＩＤの情報を有している。
【００２２】
ＭＰＥＧデコーダ１０４，１２４は、いずれも入力されたＴＳパケットに復号化処理を施してデジタル映像信号およびデジタル音声信号を再生する。このうち、デジタル映像信号はＯＳＤ回路１３２に入力され、デジタル音声信号はＤ／Ａコンバータ１３５に入力される。
【００２３】
ＯＳＤ回路１３２は、入力されるデジタル映像信号について、ＯＳＤ（On Screen Display）信号を重畳して、Ｄ／Ａコンバータ１３３に出力する。このＯＳＤ信号は、ＴＳプロセッサ１０３，１２３から出力されるＳＩ情報に基づいて、コントローラ１３１が生成している。
【００２４】
コントローラ１３１は、図示しないＭＰＵ（Ｍｉｃｒｏ  Ｐｒｏｃｅｓｓｉｎｇ  Ｕｎｉｔ）と、ＲＯＭおよびＲＡＭを有している。ＲＯＭには、制御プログラムやＭＰＵが実行するプログラムが書き込まれている。ＲＡＭは、ＭＰＵによるプログラムの実行に必要なワークエリアを提供し得るようになっている。
【００２５】
コントローラ１３１は、ＲＯＭに記憶されている制御プログラムに従い上述の各モジュールを制御して、映像表示や音声出力などを統括する。また、コントローラ１３１は、ユーザの操作するリモートコントローラ（リモコンともいう）１３８の操作情報を図示しない赤外線受光部を介して受信し、その受信した情報に従って動作を制御する。
【００２６】
そして、Ｄ／Ａコンバータ１３３，１３５はそれぞれ入力されるデジタル映像信号、デジタル音声信号をアナログ映像信号、アナログ音声信号に変換して出力する。モニタ１３４はアナログ映像信号を用いて視聴中の番組内容を示す映像を表示するディスプレイパネルである。スピーカ１３６はアナログ音声信号を用いて音声を出力する。
【００２７】
次に、以上の構成を有するデジタル放送受信装置１００において、ユーザの選局指示があったときに実行される選局処理の動作の内容について、図２に示すフローチャートを参照して説明する。
【００２８】
デジタル放送受信装置１００では、デジタルチューナ１０１，１２１によって、地上デジタル放送の放送波を受信し、地上デジタル放送の番組を視聴することができる。地上デジタル放送では、ＶＨＦの１チャンネル〜１２チャンネル（１ＣＨ〜１２ＣＨ）、ＵＨＦの１３チャンネル〜６２チャンネル（１３ＣＨ〜６２ＣＨ）、ケーブルテレビの１３チャンネル〜６３チャンネル（１３ＣＨ〜６３ＣＨ）がある。
【００２９】
これらのチャンネルは、ユーザがリモコン１３８を用いたチャンネル操作（以下「リモコン操作」という）などの所定の操作による選局指示を行うことによって、いずれか１つが指定される。選局指示によって指定されるチャンネル(例えば後述する２５ＣＨ)は選局チャンネルである。
【００３０】
また、デジタルチューナ１０１，１２１は、それまでの選局指示によって、地上デジタル放送の放送波を受信し、すでにチャンネルを選局していることがある。デジタルチューナ１０１，１２１それぞれの選局しているチャンネルは選局中チャンネルである。
【００３１】
そして、図２はデジタル放送受信装置１００において、選局指示があったときに行われる選局処理の動作手順を示すフローチャートである。この選局処理は、コントローラ１３１が制御手段および選局制御手段として作動することによって実行される。
【００３２】
コントローラ１３１は選局処理を開始すると処理をステップ１に進め、選局指示によって指定されるチャンネル（選局チャンネル）と、デジタルチューナ１０１の選局しているチャンネル（選局中チャンネル）とを比較して、両者が一致するか否かを判定する。
【００３３】
コントローラ１３１は両者が一致すると判定したときはステップ６に処理を進め、一致しなければ処理をステップ２に進める。
【００３４】
コントローラ１３１はステップ２に処理を進めると、選局チャンネルとデジタルチューナ１０２の選局している選局中チャンネルとを比較して、両者が一致するか否かを判定する。
【００３５】
コントローラ１３１は両者が一致すると判定したときはステップ７に処理を進め、一致しなければ処理をステップ３に進める。
【００３６】
コントローラ１３１はステップ３に処理を進めると、デジタルチューナ１０１の選局中チャンネルが視聴中であるか否か、すなわち、選局中チャンネルで放送されている番組の映像がモニタ１３４に表示されているか否かを判定する。コントローラ１３１はデジタルチューナ１０１の選局中チャンネルが視聴中であるときは処理をステップ５に進め、そうでなければ処理をステップ４に進める。
【００３７】
コントローラ１３１はステップ４に処理を進めると、デジタルチューナ１０１に指示して選局を行わせ、その後、ステップ６に処理を進める。これにより、デジタルチューナ１０１がコントローラ１３１の指示を受けて選局チャンネルを選局する。
【００３８】
また、コントローラ１３１はステップ５に処理を進めると、デジタルチューナ１２１に指示して選局を行わせ、その後、ステップ７に処理を進める。これにより、デジタルチューナ１２１がコントローラ１３１の指示を受けて選局チャンネルの選局を行う。
【００３９】
そして、コントローラ１３１はステップ６に処理を進めると、デジタルチューナ１０１が選局しているチャンネルの番組を視聴するように制御する。これにより、復調回路１０２、ＴＳプロセッサ１０３およびＭＰＥＧデコーダ１０４が作動することによって得られるデジタル映像信号およびデジタル音声信号を用いてモニタ１３４に映像が表示され、また、スピーカ１３６から音声が出力される。こうして、ユーザがデジタルチューナ１０１の選局中チャンネルの番組を視聴できるようになる。
【００４０】
また、コントローラ１３１はステップ７に処理を進めると、デジタルチューナ１２１が選局しているチャンネルの番組を視聴するように制御する。これにより、復調回路１２２、ＴＳプロセッサ１２３およびＭＰＥＧデコーダ１２４が作動することによって得られるデジタル映像信号およびデジタル音声信号を用いてモニタ１３４に映像が表示され、また、スピーカ１３６から音声が出力される。こうして、ユーザがデジタルチューナ１２１の選局中チャンネルの番組を視聴できるようになる。このようにしてステップ６，７が実行されると、選局処理が終了する。
【００４１】
デジタル放送受信装置１００は以上のようにして選局処理を行うことにより、選局チャンネルと、デジタルチューナ１０１，１２１がそれぞれの選局している選局中チャンネルとが一致しなかったときには、選局指示があったときに視聴に用いられていた、すなわち、選局指示の直前まで視聴に用いられていたチューナ（前視聴中チューナ）を用いることなく、もう一方のチューナ（視聴外チューナ）を用いて選局を行うようにしている。
【００４２】
以上のようにすることにより、デジタル放送受信装置１００はユーザが２つのチャンネルを交互に視聴している場合において視聴所要時間を短縮し、視聴しようとする番組を素早く視聴できるようになっている。ここで、ユーザが２つのチャンネルを交互に視聴している場合、ユーザは、視聴していた第１のチャンネルを第２のチャンネルに切り換えた後、その第２のチャンネルから元の第１のチャンネルに切り換えるチャンネル操作を行っている。この点について図３を参照して詳しく説明する。
【００４３】
例えば、図３（ａ）に示すように、ユーザは２２チャンネル（第１のチャンネル）を視聴中であったとする。この場合、２２チャンネルはデジタルチューナ１０１（第１のチューナ）により選局が行われており、もう一方のデジタルチューナ１２１（第２のチューナ）は２４チャンネルを選局していたとする。また、２２チャンネルを視聴中であることにより、モニタ１３４には、「２２ＣＨ」の文字列の表示と、視聴中の番組内容を示す映像が表示されている。
【００４４】
この状態において、ユーザがリモコン操作による選局指示を行い、２５チャンネル（第２のチャンネル）が指定されたとする。すると、コントローラ１３１は上記のようにして選局処理を実行する。
【００４５】
この場合、２５チャンネルを選局する選局指示が行われているので、選局チャンネルは２５チャンネルである。しかし、デジタルチューナ１０１，１２１が選局している選局中チャンネルはそれぞれ２２チャンネル、２４チャンネルなので、選局チャンネルと、２つの選局中チャンネルとはいずれも不一致となり、コントローラ１３１はステップ３に処理を進める。
【００４６】
このとき、デジタルチューナ１０１は、選局指示があったときに視聴に用いられていた視聴中チューナであるから、コントローラ１３１はステップ５に処理を進める。そのため、デジタル放送受信装置１００は視聴中のデジタルチューナ１０１をそのままにしておき、デジタルチューナ１０１とは別のもう一方のデジタルチューナ１２１（視聴外チューナ）を用いて２５チャンネルの選局を行う。その後、ステップ７が実行され、２５チャンネルの番組が視聴される。
【００４７】
この場合、ステップ５でデジタルチューナ１２１による選局が行われるので、図３（ｂ）に示すように、選局チャンネル（２５チャンネル）の番組がモニタ１３４に表示されるまでの視聴所要時間は短縮されないこととなる。
【００４８】
ところが、ユーザはリモコン１３８を用いたチャンネル操作によって選局指示を行う場合、選局指示を行って一旦チャンネルを変えた後、再び選局指示を行い、チャンネルを元に戻すことがある。例えば、視聴中の番組が終了したことによって、別の番組を視聴しようとチャンネルを変えては見たものの、変更後のチャンネルはテレビＣＭを放送中であったため、チャンネルを元に戻すような場合である。
【００４９】
このようなことから、ユーザは放送されている番組の視聴中に２つのチャンネルを交互に行き来しながらチャンネルを切り替えることがある。
【００５０】
そして、ユーザは、視聴しようとするチャンネルを２２チャンネルから２５チャンネルに変えてはみたものの、図３（ｂ）に示すように、２５チャンネルでは、テレビＣＭが放送されていた。そのため、ユーザは、その後再びチャンネル操作を行い視聴しようとするチャンネルを２２チャンネルに変更するチャンネル操作（すなわち、２５チャンネルから２２チャンネルに切り換えるチャンネル操作）を行ったとする。
【００５１】
すると、この場合の選局指示に応じた選局チャンネルは２２チャンネルであるため、選局チャンネルと選局中チャンネルとが一致する。そのため、コントローラ１３１が再び図２に示す選局処理を実行したときに、ステップ１からステップ６に処理が進み、デジタルチューナ１０１が選局している２２チャンネルの番組が視聴されるように制御される。
【００５２】
この場合、デジタル放送受信装置１００はステップ４を実行せずにステップ６を実行するため、デジタルチューナ１０１が選局を行うことなく復調回路１０２、ＴＳプロセッサ１０３およびＭＰＥＧデコーダ１０４が作動して、２２チャンネルの番組が視聴される。そのため、デジタルチューナ１０１によって選局をやり直さなくても選局チャンネルの番組を視聴することができるから、視聴所要時間を短縮することができる。
【００５３】
したがって、図３（ｃ）に示すように、「２２ＣＨ」の文字列の表示と、２２チャンネルで放送されている番組がすばやく表示されることとなる。
【００５４】
このように、デジタル放送受信装置１００では、選局チャンネルと選局中チャンネルとが不一致のときに前視聴中チューナをそのまま残し、視聴外チューナを用いて選局を行っている。
【００５５】
そのため、デジタル放送受信装置１００では、再び元のチャンネルに戻す選局操作が行われたときに前視聴中チューナを用いることができる。前視聴中チューナは元のチャンネルを選局済みであるから、再び選局を行うことなく復調回路、ＴＳプロセッサおよびＭＰＥＧデコーダを作動させることによって視聴所要時間を短縮することができる。
【００５６】
さらに、ユーザが図３（ｃ）に続いて再びチャンネル操作を行い視聴しようとするチャンネルを２５チャンネルに変更すると、選局チャンネルは２５チャンネルであるから、選局チャンネルと選局中チャンネルとが一致し、今度はステップ２からステップ７に処理が進む。したがって、デジタルチューナ１２１で選局し直すことなく２５チャンネルの番組が視聴されるので、この場合も視聴所要時間が短縮され、素早く視聴できるようになる。
【００５７】
このように、デジタル放送受信装置１００は、異なるチャンネルを交互に視聴する場合において視聴所要時間が短縮され、素早く視聴できるようになっている。
【００５８】
（第２の実施の形態）
上記第１の実施の形態では、選局チャンネルと、選局中チャンネルとが一致しなかったときは、前視聴中チューナとは別の視聴外チューナによって選局チャンネルを選局するようにしていた。
【００５９】
デジタル放送受信装置１００は、デジタルチューナ１０１，１２１のうち、以下のようにして定められた選択基準に基づき選択された方によって選局チャンネルを選局するようにしてしてもよい。この選択基準は、以下に示す第１〜第３の３通りが考えられる
【００６０】
第１の選択基準は、選局回数の大小に基づくものである。すなわち、第１の選択基準では、デジタルチューナ１０１，１２１のうち、選局回数の少ないチャンネル（すなわち、選局される頻度が少なく、選局されにくい低頻度チャンネル）を選局しているチューナが選択される。
【００６１】
例えば、デジタルチューナ１０１の選局しているチャンネルの選局回数と、デジタルチューナ１２１の選局しているチャンネルの選局回数とを比較して、選局回数が少ないチャンネルを選局しているチューナを選択する。
【００６２】
第２の選択基準は、選局時間の長短に基づくものである。すなわち、第２の選択基準では、デジタルチューナ１０１，１２１のうち、選局時間の短いチャンネル（これも、選局される頻度が少ない低頻度チャンネル）を選局しているチューナが選択される。
【００６３】
例えば、デジタルチューナ１０１の選局しているチャンネルの選局時間と、デジタルチューナ１２１の選局しているチャンネルの選局時間とを比較して、選局時間が短いチャンネルを選局しているチューナを選択する。
【００６４】
第３の選択基準は、事前登録された番組種類に属する番組を放送中のチャンネルを選局していたか否かに基づくものである。ここで、番組種類とは、地上デジタル放送で放送されている各種の番組を種類（ジャンル）ごとに分類したときの各種類を意味している。
【００６５】
デジタル放送受信装置１００では、ユーザが所望のジャンルを「お気に入りジャンル」として設定することができる。そして、デジタル放送受信装置１００では、「お気に入りジャンル」を読み出し、デジタルチューナ１０１，１２１それぞれの選局中チャンネルで放送されている番組が属するジャンルと、「お気に入りジャンル」と比較し、双方が一致しない方のチューナを選択する。
【００６６】
すなわち、デジタル放送受信装置１００は、ユーザが視聴しやすい番組を放送しているチャンネルを選局しているチューナを残し、それ以外のチューナを選択している。
【００６７】
デジタル放送受信装置１００が第１〜第３の選択基準にしたがって選局処理を行う場合、図４に示すフローチャートによって選局処理を行えばよい。このフローチャートは、図２に示すフローチャートと比較して、ステップ３の代わりにステップ８を実行している点が相違している。
【００６８】
そのステップ８では、コントローラ１３１によって選択基準によって選択された方がデジタルチューナ１２１であるか否かが判定され、選択された方がデジタルチューナ１２１であれば、コントローラ１３１がステップ５に処理を進め、そうでなければステップ４に処理を進める。
【００６９】
以上のようにして設定された選択基準にしたがってチューナを選択することにより、選局実情に即した形で選局が行われるようになる。
【００７０】
（第３の実施の形態）
第１の実施の形態および第２の実施の形態では、２つのデジタルチューナ１０１，１２１を使い分けているが、デジタル放送受信装置１００のように、複数のデジタルチューナ１０１，１２１に対応して複数のＴＳプロセッサ１０３，１２３が設けられているときは、ＴＳプロセッサ１０３，１２３を使い分けることが望ましい。この場合、コントローラ１３１が図５に示すフローチャートに沿って選局処理を実行する。
【００７１】
コントローラ１３１は選局処理を開始すると処理をステップ９に進め、選局チャンネルと、デジタルチューナ１０１が選局し、ＴＳプロセッサ１０３がＴＳパケットを処理している選局中チャンネルとを比較して、両者が一致するか否かを判定する。
【００７２】
コントローラ１３１は両者が一致すると判定したときはステップ１４に処理を進め、一致しなければ処理をステップ１０に進める。
【００７３】
コントローラ１３１はステップ１０に処理を進めると、選局チャンネルと、デジタルチューナ１２１が選局し、ＴＳプロセッサ１２３がＴＳパケットを処理している選局中チャンネルとを比較して、両者が一致するか否かを判定する。
【００７４】
コントローラ１３１は両者が一致すると判定したときはステップ１５に処理を進め、一致しなければ処理をステップ１１に進める。
【００７５】
コントローラ１３１はステップ１１に処理を進めると、デジタルチューナ１０１およびＴＳプロセッサ１０３を用いて視聴中であるか否か、すなわち、デジタルチューナ１０１の選局中チャンネルが視聴中であり、かつＴＳプロセッサ１０３がデジタルチューナ１０１に応じてＴＳパケットを処理しているか否かを判定する。そして、コントローラ１３１はステップ１１で条件が成立したときは処理をステップ１３に進めるが、条件不成立であるときは処理をステップ１２に進める。
【００７６】
コントローラ１３１はステップ１２に処理を進めると、デジタルチューナ１０１が選局を行い、ＴＳプロセッサ１０３がＴＳパケットを処理するように制御し、その後、ステップ１４に処理を進める。これにより、デジタルチューナ１０１がコントローラ１３１の指示を受けて選局チャンネルを選局し、得られるＴＳパケットをＴＳプロセッサ１０３が処理するようになる。
【００７７】
また、コントローラ１３１はステップ１３に処理を進めると、デジタルチューナ１２１が選局を行い、ＴＳプロセッサ１２３がＴＳパケットを処理するように制御し、その後、ステップ１５に処理を進める。これにより、デジタルチューナ１２１がコントローラ１３１の指示を受けて選局チャンネルを選局し、得られるＴＳパケットをＴＳプロセッサ１２３が処理するようになる。
【００７８】
そして、コントローラ１３１はステップ１４に処理を進めると、デジタルチューナ１０１およびＴＳプロセッサ１０３を用いてデジタルチューナ１０１が選局しているチャンネルの番組を視聴するように制御する。この場合は、デジタルチューナ１０１が選局中チューナとなり、ＴＳプロセッサ１０３が処理中ＴＳプロセッサとなる。
【００７９】
これにより、デジタルチューナ１０１、復調回路１０２、ＴＳプロセッサ１０３およびＭＰＥＧデコーダ１０４が作動することによって得られるデジタル映像信号およびデジタル音声信号を用いてモニタ１３４に映像が表示され、また、スピーカ１３６から音声が出力され、選局中チャンネルの番組が視聴される。
【００８０】
また、コントローラ１３１はステップ１５に処理を進めると、デジタルチューナ１２１およびＴＳプロセッサ１２３を用いてデジタルチューナ１２１が選局しているチャンネルの番組を視聴するように制御する。この場合は、デジタルチューナ１２１が選局中チューナとなり、ＴＳプロセッサ１２３が処理中ＴＳプロセッサとなる。
【００８１】
これにより、デジタルチューナ１２１、復調回路１２２、ＴＳプロセッサ１２３およびＭＰＥＧデコーダ１２４が作動することによって得られるデジタル映像信号およびデジタル音声信号を用いてモニタ１３４に映像が表示され、また、スピーカ１３６から音声が出力され、選局中チャンネルの番組が視聴される。
【００８２】
このようにして選局処理を実行する場合も、第１の実施の形態と同じように、デジタル放送受信装置１００は選局チャンネルと選局中チャンネルとが不一致のときに、前視聴中チューナをそのまま残し、視聴外チューナを用いて選局を行っている。そのため、デジタル放送受信装置１００では、再び元のチャンネルに戻す選局操作が行われたときに前視聴中チューナを用いることができ、視聴所要時間を短縮することができる。
【００８３】
しかも、第３の実施の形態のようにして選局処理を実行すると、ＴＳプロセッサについても、選局チャンネルと選局中チャンネルとが一致しなかったときに、前視聴中ＴＳプロセッサを残して、それとは別の視聴外ＴＳプロセッサを用いている。そのため、ＴＳプロセッサにおける切り換えに要する時間が短縮され、視聴所要時間を一層短縮する効果がある。
【００８４】
以上の各実施の形態では、複数のデジタルチューナ１０１，１２１に対応して複数のＴＳプロセッサ１０３，１２３が設けられ、ＴＳプロセッサ１０３，１２３がデジタルチューナ１０１，１２１に対応して作動するデジタル放送受信装置１００を例にとって説明している。
【００８５】
本発明は、複数のデジタルチューナ１０１，１２１の双方に対して共通に作動するＴＳプロセッサが設けられているデジタル放送受信装置についても適用することができる。この場合は、第１の実施形態または第２の実施形態に沿って選局処理を行えばよい。
【００８６】
また、上記各実施の形態では、地上デジタル放送を受信するデジタル放送受信装置１００を例にとって説明したが、本発明は、衛星デジタル放送を受信するデジタル放送受信装置についても適用することができる。
【００８７】
以上の説明は、本発明の実施の形態についての説明であって、この発明の装置及び方法を限定するものではなく、様々な変形例を容易に実施することができる。又、各実施形態における構成要素、機能、特徴あるいは方法ステップを適宜組み合わせて構成される装置又は方法も本発明に含まれるものである。
【図面の簡単な説明】
【００８８】
【図１】本発明の実施の形態に係るデジタル放送受信装置の構成を示すブロック図である。
【図２】第１の実施の形態に係る選局処理の動作手順を示すフローチャートである。
【図３】チャンネルを交互に切り換えた場合における２つのチューナの動作の一例を示す図である。
【図４】第２の実施の形態に係る選局処理の動作手順を示すフローチャートである。
【図５】第３の実施の形態に係る選局処理の動作手順を示すフローチャートである。
【符号の説明】
【００８９】
１００…デジタル放送受信装置、１０１，１２１…デジタルチューナ
１０２，１２３…復調回路、１０３，１２３…ＴＳプロセッサ
１０４，１２４…ＭＰＥＧデコーダ
【図１】
2008035369.tif 000003
【図２】
2008035369.tif 000004
【図３】
2008035369.tif 000005
【図４】
2008035369.tif 000006
【図５】
2008035369.tif 000007